(57)【特許請求の範囲】
【請求項１】
廃棄物処理場等において雨水等が廃棄物、地盤などに浸透しないように使用される不透水性シートからなる雨水対応シートであって、上記不透水性シートの少なくとも一端部に自由端部を有する複数の接合用ベラを備え、隣接する雨水対応シートとの熱溶着接合に使用した接合用ベラのみを切断、廃棄することによって、接合用ベラを取り付けた数だけ雨水対応シートのリユースができることを特徴とする雨水対応シート。
【請求項２】
廃棄物処理場における廃棄物を処理する方法であって、廃棄物を埋立るために掘削した廃棄物埋立用穴において、所定範囲の廃棄物埋立を行った後、その上に一の請求項１記載の雨水対応シートを被せ、次いで隣接部の所定範囲の埋立を行った後、その上に他の請求項１記載の雨水対応シートを被せると共に、上記一の雨水対応シートの一の接合用ベラの自由端部とこれに隣接する上記他の雨水対応シートとを接合して接合部を形成する行程を繰り返し行って、上記穴の下段の廃棄物処理を終了した後、上記一の雨水対応シートを上記一の接合用ベラの上記接合部を切断して剥がすと共に、シートを剥がした部分の廃棄物の上に次段として廃棄物埋立を行った後、その上に剥がした上記一の雨水対応シートを被せ、次いで隣接部の上記他の雨水対応シートをこれと隣接する雨水対応シートとの上記接合部を切断して剥がすと共に、シートを剥がした部分の廃棄物の上に次段として廃棄物埋立を行った後、その上に剥がした上記雨水対応シートを被せると共に、上記一の雨水対応シートの他の接合用ベラの自由端部と上記他の雨水対応シートとを接合して接合部を形成する行程を繰り返し行って、上記廃棄物埋立用穴内に廃棄物を埋立ていくことを特徴とする廃棄物処理方法。
【発明の詳細な説明】
【０００１】
【発明の属する技術分野】
本発明は、廃棄物処理場に使用される雨水対応シート及び廃棄物処理場における廃棄物処理方法に関するものである。
【０００２】
【従来の技術及び発明が解決しようとする課題】
従来より、処理場の廃棄物処理は、廃棄物埋立地に掘削した廃棄物埋立用穴に不透水性シートを張設し、この穴内に廃棄物を投棄していき、ある程度の高さに堆積されると、穴内の廃棄物の上に適宜大きさの不透水性シートを雨水対応シートとして、必要数、隣接するシートの端辺どうしを熱溶着したシートで覆い、その上から再び廃棄物を投棄し、ある程度の高さに堆積されると、再び、同様に雨水対応シートで覆い、その上に、また、廃棄物を投棄するという手順を繰り返して、廃棄物用穴の埋立が行われていた。
【０００３】
このような方法の場合、上段の埋立を行なう段階では、下段側の雨水対応シートは、敷設しておく必要はないので、剥がして再使用することが望まれていた。
【０００４】
しかしながら、上記雨水対応シートは、隣接するシートの端辺どうしが熱溶着されているため、剥がす際に、切り離す必要があるなど、再使用しようとすると、取り扱い性が悪いという問題があった。
【０００５】
本発明は、上記事情に鑑みなされたもので、再使用性に優れた雨水対応シート及び該雨水対応シートを利用した廃棄物処理方法を提供することを目的とする。
【０００６】
【課題を解決するための手段】
本発明は、上記目的を達成するため、（１）廃棄物処理場等において雨水等が廃棄物、地盤などに浸透しないように使用される不透水性シートからなる雨水対応シートであって、上記不透水性シートの少なくとも一端部に自由端部を有する複数の接合用ベラを備え、隣接する雨水対応シートとの熱溶着接合に使用した接合用ベラのみを切断、廃棄することによって、接合用ベラを取り付けた数だけ雨水対応シートのリユースができることを特徴とする雨水対応シートを提供する。
【０００７】
また、本発明は、（２）廃棄物処理場における廃棄物を処理する方法であって、廃棄物を埋立るために掘削した廃棄物埋立用穴において、所定範囲の廃棄物埋立を行った後、その上に一の上記（１）記載の雨水対応シートを被せ、次いで隣接部の所定範囲の埋立を行った後、その上に他の上記（１）記載の雨水対応シートを被せると共に、上記一の雨水対応シートの一の接合用ベラの自由端部とこれに隣接する上記他の雨水対応シートとを接合して接合部を形成する行程を繰り返し行って、上記穴の下段の廃棄物処理を終了した後、上記一の雨水対応シートを上記一の接合用ベラの上記接合部を切断して剥がすと共に、シートを剥がした部分の廃棄物の上に次段として廃棄物埋立を行った後、その上に剥がした上記一の雨水対応シートを被せ、次いで隣接部の上記他の雨水対応シートをこれと隣接する雨水対応シートとの上記接合部を切断して剥がすと共に、シートを剥がした部分の廃棄物の上に次段として廃棄物埋立を行った後、その上に剥がした上記雨水対応シートを被せると共に、上記一の雨水対応シートの他の接合用ベラの自由端部と上記他の雨水対応シートとを接合して接合部を形成する行程を繰り返し行って、上記廃棄物埋立用穴内に廃棄物を埋立ていくことを特徴とする廃棄物処理方法を提供する。
【０００８】
即ち、上記不透水性シートの少なくとも一端部に自由端部を有する複数の接合用ベラを備えているので、廃棄物を埋立るために掘った廃棄物埋立用穴において、例えば上記不透水性シートが両端部にそれぞれ複数の上記接合用ベラを備えたものであれば、隣接する雨水対応シートどうしの接合用ベラを熱接着等により接合部を形成していくことによって、雨水等が廃棄物、地盤などに浸透しないようにすることができる。
【０００９】
一方、上記不透水性シートが一端部のみに複数の上記接合用ベラを備えたものであれば、一の雨水対応シートの接合用ベラを隣接する雨水対応シートの接合用ベラを備えていない方の端部側に熱接着等することにより接合部を形成していくことによって、雨水等が廃棄物、地盤などに浸透しないようにすることができる。
【００１０】
そして、廃棄物埋立用穴の下段の廃棄物埋立を行った後、上段の埋立を行う際に下段の廃棄物の上を覆っている雨水対応シートを剥がして再利用するには、一の雨水対応シートの接合用ベラの隣接する雨水対応シートとの接合部を切断することによって、上記一の雨水対応シートが隣接した雨水対応シートと切り離されて、所定範囲の雨水対応シートを容易に剥がすことができ、一旦、剥がした雨水対応シートを再使用する時には、残った接合用ベラによって、再び隣接する雨水対応シートと接合することができる。
【００１１】
従って、廃棄物埋立用穴内において、所定範囲の廃棄物埋立を行った後、その上に一の上記雨水対応シートを被せ、次いで隣接部の所定範囲の埋立を行った後、その上に他の上記雨水対応シートを被せると共に、上記一の雨水対応シートの一の接合用ベラの自由端部とこれに隣接する上記他の雨水対応シートとを接合して接合部を形成する行程を繰り返し行って、上記穴の下段の廃棄物処理を終了した後、上記一の雨水対応シートを上記一の接合用ベラの上記接合部を切断して剥がすと共に、シートを剥がした部分の廃棄物の上に次段として廃棄物埋立を行った後、その上に剥がした上記一の雨水対応シートを被せ、次いで隣接部の上記他の雨水対応シートをこれと隣接する雨水対応シートとの上記接合部を切断して剥がすと共に、シートを剥がした部分の廃棄物の上に次段として廃棄物埋立を行った後、その上に剥がした上記雨水対応シートを被せると共に、上記一の雨水対応シートの他の接合用ベラの自由端部と上記他の雨水対応シートとを接合して接合部を形成する行程を繰り返し行って、上記廃棄物埋立用穴内に廃棄物を埋立ていく本発明の廃棄物処理方法によれば、雨水対応シートを容易に再使用することができ、また、再使用する際に、隣接する雨水対応シートとの接合に利用した接合用ベラのみを切り離せばよいので、接合用ベラの数だけ再使用が可能となる。
【００１２】
【発明の効果】
本発明によれば、廃棄物を処分する際に、再使用し易い雨水対応シートが得られ、この雨水対応シートを利用することによって、廃棄物処理作業時に、雨水対応シートを必要回数、容易に再使用することができる。
【００１３】
【発明の実施の形態及び実施例】
以下、本発明について図面を参照してより詳細に説明する。図１は、本発明の雨水対応シートの一構成例を説明する雨水対応シート１の平面図であり、図２は、図１のＸ−Ｘ線に沿った縦断面図である。
【００１４】
上記雨水対応シート１は、不透水性シートからなるシート本体２の両端部２ａ，２ａに、それぞれ自由端部３ａを有する接合用ベラ３を図２に示すように４枚ずつ備えたものである。なお、本発明の場合、この構成例に示すように、複数の接合用ベラの一枚として、不透水性シートのシート本体の端部を利用することもできる。
【００１５】
ここで、シート本体２は、材質、大きさ、厚さなどが特に制限されるものではなく、廃棄物埋立用穴に従来より張設されている不透水性シートと同様のものを使用することができ、具体的には、オレフィン系熱可塑性ゴム、熱可塑性ポリウレタン、低密度ポリエチレン、エチレン−酢酸ビニル共重合体、高密度ポリエチレン、中密度ポリエチレン、塩化ビニル等の熱溶着性樹脂等が好適に使用され、シート厚さとしては０．３〜２．０ｍｍ程度、シート幅（図中矢印Ｂ）１．０〜１０ｍ程度が好適である。なお、シート長さは、１０〜１００ｍ程度が好適である。
【００１６】
接合用ベラ３は、材質、大きさ、厚さなどが特に制限されるものではないが、本体との接合又は接合用ベラどうしの接合を考慮すれば、通常、材質としては、上記熱溶着性樹脂が好適に使用でき、厚さもシート本体２と同程度の厚さのものが好適である。また、幅（図中矢印ｂ）は、５〜４０ｃｍ程度が好適である。幅が狭すぎると溶着機での接合が困難であり、広すぎると未使用のベラの折り込みが困難となる場合がある。また、一端部における接合用ベラ３の配設数は、複数枚であれば、特に制限されないが、廃棄物埋立用穴の小段（図３参照）数を考慮すれば、通常２〜５枚程度が好適である。なお、本発明の雨水対応シートにおいて、複数の接合用ベラのシートを取り付けるシート面、シート面に取り付ける順序は、特に制限されるものではない。
【００１７】
上記雨水対応シート１の製造方法は、特に制限されるものではなく、例えば熱風式接合機、コテ式接合機、ホットメルト樹脂、接着材、粘着材、熱可塑性樹脂を本体と接合用ベラ端部及び本体と接合用ベラ中央部等に介在させて製造することができる。
【００１８】
次に、この雨水対応シート１を利用した本発明の廃棄物処理方法の一構成例を図３〜５を用いて説明する。図３は、廃棄物埋立用穴内の状態を示した説明図であり、図４，５は、互いに隣接する雨水対応シート１，１の接合方法を説明するために接合用ベラの部分を拡大して示した部分拡大断面図である。
【００１９】
ここで、図３において、廃棄物埋立用穴Ａの底面及び内周面には、雨水等が地面に浸透しないように不透水性シートＢが張設されており、この不透水性シートＢの上に廃棄物を次のようにして埋立ていく。即ち、まず、最下段の所定範囲として第一ブロックＣ1の廃棄物埋立を行う。ここで、上記所定範囲の広さは、特に制限されるものではないが、降水量、工期、廃棄物処分量を考慮すれば、通常、５０００ｍ2程度が好適である。なお、一段（小段）の高さ（堆積高さ、図中ｈ）は、通常、４〜６ｍ程度が好適である。
【００２０】
そして、第一ブロックＣ1の廃棄物埋立が終了した後、雨水等が浸透しないように、第一ブロックＣ1の堆積物の上に第一の雨水対応シート１（図１参照）を被せる。次いで、第一ブロックＣ1に隣接する第二ブロックＣ2の埋立を行った後、その上に第一ブロックＣ1に被せた雨水対応シートとは別の第二の雨水対応シートを被せ、第一ブロックＣ1に被せた第一の雨水対応シートの一の接合用ベラ３（図１参照）の自由端部３ａと第二ブロックＣ2に被せた第二の雨水対応シートの一の接合用ベラ３（図１参照）の自由端部３ａとを接合する。
【００２１】
ここで、雨水対応シートの接合方法は、特に制限されるものではないが、例えば図４，５に示す方法が好適に採用される。即ち、図４に示すように、第一の雨水対応シート１の一の接合用ベラ３と第二の雨水対応シート１の一の接合用ベラ３とを重ね合わせて、この重ね合わせた部分を熱溶着して、接合部３ｂを形成する方法が挙げられる。この場合、自走式溶着接合を採用すると、より好適である。更に、図５に示すように、接合部３ｂが形成された第一の雨水対応シート１の一の接合用ベラ３と第二の雨水対応シート１の一の接合用ベラ３とを一方の雨水対応シート１のシート本体２ａに接合すると、接合された接合用ベラ３，３の自由端部３ａ，３ａが邪魔にならないので、より好適である。この場合、手動式点付け接合が好適に採用される。
【００２２】
次に、第三ブロックＣ3を埋立、その上に更に別の第三の雨水対応シートを被せ、第二ブロックＣ2に被せた第二の雨水対応シートの他端側の一の接合用ベラの自由端部と第三ブロックＣ3に被せた第三の雨水対応シートの一の接合用ベラの自由端部とを上記同様に熱溶着等によって接合して接合部を形成する。
【００２３】
このようにして、廃棄物埋立用穴Ａ内において最下段の廃棄物埋立を終了した後、第一ブロックＣ1の堆積物（廃棄物）の上に被せた第一の雨水対応シートと第二の雨水対応シートとの接合部を切断すると、これらの接合に使用した接合用ベラが切り取られて、第一ブロックＣ1の上を覆う第一の雨水対応シートを容易に剥がすことができる。そして、シートを剥がした第一ブロックＣ1の堆積物の上に次段として第四ブロックＣ4の廃棄物埋立を行った後、その上に剥がした第一の雨水対応シートを被せる。
【００２４】
次いで、第一ブロックＣ2の堆積物の上に被せた第二の雨水対応シートと第三の雨水対応シートとの接合部を切断し、これらの接合に使用した接合用ベラを切り取って、第二の雨水対応シートを剥がし、第一ブロックＣ1と第二ブロックＣ2の堆積物の上に次段として第五ブロックＣ5の廃棄物埋立を行った後、その上に剥がした第二の雨水対応シートを被せ、第一の雨水対応シートの他の接合用ベラの自由端部と第二の雨水対応シートの他の接合用ベラの自由端部とを上記同様に接合して接合部を形成する行程を繰り返し行って、廃棄物埋立用穴Ａ内の最上段に至るまで廃棄物埋立を行って、廃棄物埋立用穴Ａ内に廃棄物を投棄、埋立る。
【００２５】
この廃棄物処理方法によれば、隣接する雨水対応シートとの接合に使用した接合用ベラのみを切断、廃棄することによって、接合用ベラを取り付けた数だけ雨水対応シートのリユースができる。なお、接合用ベラを不透水性シートの一端部のみに設けた場合は、接合に使用したシート本体の部分を残して接合用ベラ側の接合部を切り離すことによって、雨水対応シートの当初の大きさを確保することができる。
【００２６】
なお、上記のように１ブロックが例えば５０００ｍ2程度である場合、このような範囲を１枚のシート（例えば幅２〜３ｍ）で覆うことは不可能なので、実際には、所定範囲内に複数の雨水対応シートを展張する。そして、これら複数のシートを接合する際にも接合用ベラを利用することができる。
【００２７】
なお、本発明は、上記構成に限定されるものではなく、本発明の要旨を逸脱しない範囲で種々変更することができる。
【図面の簡単な説明】
【図１】本発明の雨水対応シートの一構成例を説明する概略平面図である。
【図２】図１のＸ−Ｘ線縦断面図である。
【図３】本発明の廃棄物処理方法の一構成例を説明する廃棄物埋立用穴の中を示した説明図である。
【図４】上記雨水対応シートの接合方法を説明する接合用ベラの部分を拡大して示した部分拡大断面図である。
【図５】上記雨水対応シートの接合方法を説明する接合用ベラの部分を拡大して示した部分拡大断面図である。
【符号の説明】
Ａ  廃棄物埋立用穴
１  雨水対応シート
３  接合用ベラ
３ａ  自由端部
３ｂ  接合部
【図１】
0004488147.tif 000002
【図２】
0004488147.tif 000003
【図３】
0004488147.tif 000004
【図４】
0004488147.tif 000005
【図５】
0004488147.tif 000006